(57)【要約】【課題】オープンパネルと前面吸込口の上縁との合せ目に隙間を残さず、しかもオープンパネルの中央付近の撓みによる合わせ目のずれを目立たないようにする。【解決手段】前面吸込口１１の上縁１２に前面吸込口１１側が前面方向に突出する第１の傾斜面１２ａを設ける。オープンパネル２０は前面側が垂直面２０ａでなり、該垂直面２０ａの上部に、前面吸込口１１の上縁１２の第１の傾斜面１２ａと平行で且つ第１の傾斜面１２ａよりも第１の距離ｔ１だけ奥側に位置する第２の傾斜面２０ｃを設ける。前面吸込口１１の上縁１２に、第１の傾斜面１２ａの下側に連続して奥下方向に伸びる第３の傾斜面１２ｃを設ける。オープンパネル２０の垂直面２０ａを、前面吸込口１１の上縁１２の第１の傾斜面１２ａと第３の傾斜面１２ｃの角Ａから第２の距離ｔ２だけ奥方向に位置させる。【選択図】図５
2011163703.tif 000002
【特許請求の範囲】
【請求項１】
前面吸込口、上面吸込口および下部吹出口を備えた前面パネルとケーシングで本体を構成し、内部に熱交換器と送風ファンを備え、該前面パネルに開閉自在に支持され前記前面吸込口を開閉するオープンパネルとを有する空気調和機において、
前記前面吸込口の上縁に前記前面吸込口側が前面方向に突出する第１の傾斜面を設け、
前記オープンパネルは前面側が垂直面でなり、該垂直面の上部に、前記前面吸込口の上縁の前記第１の傾斜面と平行で且つ前記第１の傾斜面よりも第１の距離だけ奥側に位置する第２の傾斜面を設け、
前記前面吸込口の上縁に、前記第１の傾斜面の下側に連続して奥下方向に伸びる第３の傾斜面を設けたことを特徴とする空気調和機。
【請求項２】
請求項１に記載の空気調和機において、
前記オープンパネルの前記垂直面を、前記前面吸込口の上縁の前記第１の傾斜面と前記第３の傾斜面の角から第２の距離だけ奥方向に位置させたことを特徴とする空気調和機。
【請求項３】
請求項１又は２に記載の空気調和機において、
前記オープンパネルの前記第２の傾斜面の奥側に連続して斜め下方向を向う第４の傾斜面を形成するとともに、前記前面吸込口の上縁の前記第３の傾斜面の奥側に連続して斜め下方向に向う第５の傾斜面を形成し、且つ前記第４および第５の傾斜面を互いに平行な面としたことを特徴とする空気調和機。
【発明の詳細な説明】
【技術分野】
【０００１】
本発明は、前面吸込口、上面吸込口および下部吹出口を備えた前面パネルとケーシングで本体を構成し、内部に熱交換器と送風ファンを備え、前面パネルに開閉自在に支持され前面吸込口を開閉するオープンパネルとを有する空気調和機に関するものである。
【背景技術】
【０００２】
昨今、目線よりも高い位置の壁面に取り付けられる壁掛け型の空気調和機は、設置する室内のインテリアに調和するデザインが好まれている。そのため、本体色は、室内の壁紙に多く使われている白色やベージュ色などの明度の高い色が採用されている。また、形態においては、どのような壁にも取り付けられるようにコンパクトなサイズとし、さらに、吸込口や吹出口による凹凸の存在が目立つことでインテリアに違和感を与えることがないように、運転停止時に吸込口をフラットなオープンパネルで閉じ、吹出口を風向板で塞ぐ形態のものが多くなってきている。
【０００３】
この空気調和機は、前面吸込口、上面吸込口および下部吹出口を備えた前面パネルとケーシングで本体を構成し、内部に熱交換器と送風ファンを備え、前面パネルに開閉自在に支持され前面吸込口を開閉するオープンパネルとを有する。下部吹出口にはそこを開閉する風向板が備えられている。運転時は、オープンパネルが前方に可動して前面吸込口を開くことでその前面吸込口から空気を吸い込むとともに上面吸込口からも空気を吸い込み、また風向板が開くことで吹出口から熱交換された空気を吹き出す。運転停止時は、オープンパネルと風向板が閉じることで、外観が凹凸の無いフラットな形状となり、インテリアに調和するデザインが得られる。
【０００４】
この種の空気調和機には、オープンパネルを小さくすることで可動モータの負荷を減らすことができるため、正面側に前面吸込口の上縁とオープンパネルの合せ目が現れるデザインのものがある。たとえば、従来では、オープンパネルと前面吸込口の上縁を繋ぐ同一曲面上に合せ目を設けており、オープンパネルと前面吸込口の上縁の一体感を図っているが、オープンパネルと前面吸込口の上縁の合せ目の同一曲面が正確に合わない場合は、ずれが目立つため、あえて合せ目に隙間を設けることが行われている（例えば、特許文献１参照）。しかし、その場合は合せ目に塵埃がたまりやすい。
【０００５】
そこで、図７(ａ)に示すように、オープンパネル２０を、運転停止時、つまりオープンパネル２０が閉じたときに、前面吸込口１１の上縁１２の傾斜面１２ａの下端の角Ａ’と、オープンパネル２０の垂直面２０ａの上端の角Ｂ’とが一致するように設計すると、合せ目Ｅ’が山型となり、合せ目に塵や埃がたまることなく、デザイン的にすっきりしたものとなる。
【０００６】
【先行技術文献】
【特許文献】
【０００７】
【特許文献１】特開２００３−０７４９６２号公報
【発明の概要】
【発明が解決しようとする課題】
【０００８】
ところが、オープンパネル２０は、肉厚が２ｍｍ程度で横幅が７０ｃｍ以上の樹脂製であり、しかもデザイン性を確保するために裏面補強リブ等は設けられていないので、横方向の中央付近が前面方向に最大で３ｍｍ程度突出して膨らむことで撓みが生じることがある。この場合は、図７(ｂ)に示すように、オープンパネル２０の垂直面２０ａの上角Ｂ’が前面吸込口１１の上縁１２の傾斜面１２ａの下端の角Ａ’よりも前方に突出して合せ目Ｅ’にずれが生じる。この突出部分はオープンパネル２０の横方向の中央付近に発生するので、著しくデザイン性を損なうこととなる。
【０００９】
本発明の目的は、オープンパネルと前面吸込口の上縁との合せ目に隙間を残さず、しかもオープンパネルの中央付近の撓みによる合わせ目のずれを目立たないようにした空気調和機を提供することである。
【課題を解決するための手段】
【００１０】
上記目的を達成するために、請求項１にかかる発明の空気調和機は、前面吸込口、上面吸込口および下部吹出口を備えた前面パネルとケーシングで本体を構成し、内部に熱交換器と送風ファンを備え、該前面パネルに開閉自在に支持され前記前面吸込口を開閉するオープンパネルとを有する空気調和機において、前記前面吸込口の上縁に前記前面吸込口側が前面方向に突出する第１の傾斜面を設け、前記オープンパネルは前面側が垂直面でなり、該垂直面の上部に、前記前面吸込口の上縁の前記第１の傾斜面と平行で且つ前記第１の傾斜面よりも第１の距離だけ奥側に位置する第２の傾斜面を設け、前記前面吸込口の上縁に、前記第１の傾斜面の下側に連続して奥下方向に伸びる第３の傾斜面を設けたことを特徴とする。
請求項２にかかる発明は、請求項１に記載の空気調和機において、前記オープンパネルの前記垂直面を、前記前面吸込口の上縁の前記第１の傾斜面と前記第３の傾斜面の角から第２の距離だけ奥方向に位置させたことを特徴とする。
請求項３にかかる発明は、請求項１又は２に記載の空気調和機において、前記オープンパネルの前記第２の傾斜面の奥側に連続して斜め下方向を向う第４の傾斜面を形成するとともに、前記前面吸込口の上縁の前記第３の傾斜面の奥側に連続して斜め下方向に向う第５の傾斜面を形成し、且つ前記第４および第５の傾斜面を互いに平行な面としたことを特徴とする。
【発明の効果】
【００１１】
本発明によれば、オープンパネルに、垂直面の上部に連続するように、前面吸込口の上縁の第１の傾斜面と平行で且つその第１の傾斜面よりも第１の距離だけ奥側に位置する第２の傾斜面を設けたので、たとえオープンパネルに撓みが生じてその中央付近に前方への撓みが発生しても、空気調和機の下から見上げたときに、第１の傾斜面と第２の傾斜面が連続して見えるので、デザイン上の違和感が生じることは無い。
【００１２】
また、前面吸込口の上縁に、第１の傾斜面の下側に連続して奥下方向に伸びる第３の傾斜面を設け、オープンパネルの垂直面を、前面吸込口の上縁の第１の傾斜面と第３の傾斜面の角から第２の距離だけ奥方向に位置させることで、オープンパネルに撓みが発生しない正常な場合は、空気調和機の下から見上げたときに、遠近がついて見えることにより、前面吸込口の上縁の第１の傾斜面と第３の傾斜面の角と、オープンパネルの垂直面が垂直に並んでいるように見えるため、この点でもデザイン上の違和感が生じることは無い。
【図面の簡単な説明】
【００１３】
【図１】本発明の実施例の空気調和機の運転停止時の斜視図である。
【図２】同実施例の気調和機の運転時の斜視図である。
【図３】同実施例の空気調和機の概略断面図である。
【図４】同実施例の空気調和機の右側面図である。
【図５】図４のＸ部分の拡大図である。
【図６】同実施例の空気調和機のオープンパネルと前面吸込口の上縁の側面図である。
【図７】従来の空気調和機のオープンパネルと前面吸込口の上縁の側面図である。
【発明を実施するための形態】
【００１４】
図１、２に本発明の第１の実施例の空気調和機の外観を示し、図３に内部構成を示す。本実施例の空気調和機は、前面吸込口１１、その前面吸込口１１の上縁１２、上面吸込口１３、風向板１４で開閉される下部吹出口１５を備えた前面パネル１０とケーシング１８で本体を構成し、内部に熱交換器１６と送風ファン１７を備え、前面パネル１０に開閉自在に支持され前面吸込口１１を開閉するオープンパネル２０とを有する。
【００１５】
運転時は、上面吸込口１３から空気を吸い込むとともに、オープンパネル２０が前方に回動して前面吸込口１１を開くことでその前面吸込口１１からも空気を吸い込む。また風向板１４が開き、前面吹出口１１および上面吸込口１３から吸い込まれ熱交換器１６で冷媒と熱交換された空気が送風ファン１７で吹出口１５から吹き出される（図２）。なお、オープンパネル２０は、前方に平行に移動して前面吸込口１１を開く構造の場合もある。運転停止時は、オープンパネル２０と風向板１４が閉じる（図１）。
【００１６】
図４は本実施例の空気調和機の右側面図、図５は図４のＸ部の拡大図である。前面吸込口の上縁１２において、１２ａは下側が前方に突出する傾斜面（第１の傾斜面）、１２ｂは上縁１２とオープンパネル２０との合せ面である傾斜面（第５の傾斜面）、１２ｃは傾斜面１２ａと傾斜面１２ｂを傾斜面１２ｂの側が奥方向に後退するように接続する傾斜面（第３の傾斜面）である。また、オープンパネル２０において、２０ａは垂直面、２０ｂは前面吸込口１１の上縁１２の傾斜面１２ｂと平行に対向する合せ面である傾斜面（第４の傾斜面）、２０ｃは垂直面２０ａと傾斜面２０ｂを傾斜面２０ｂの側が奥方向に後退するように接続する傾斜面（第２の傾斜面）である。
【００１７】
各面１２ａ〜１２ｃ，２０ａ〜２０ｃの形状、位置関係は以下のようにして決める。
(１)．オープンパネル２０と前面吸込口の上縁１２が近接する傾斜面１２ｂ、２０ｂは、オープンパネル２０の上端が下端を支点として前方に回動し、又は前方に平行移動して開くことを考慮して、奥側下方向に傾斜する互いに平行な傾斜面とする。
(２)．下側が前方に突出するよう前面吸込口１１の上縁１２の傾斜面１２ａを決定する。
(３)．オープンパネル２０の中央部での前方への撓みを２〜３ｍｍと仮定して、前面吸込口１１の上縁１２の傾斜面１２ａの延長線よりも距離ｔ１（２〜３ｍｍ）だけ奥側に、その傾斜面１２ａに平行にオープンパネル２０の傾斜面２０ｃを決める。
(４)．この傾斜面２０ｃと傾斜面２０ｂの角Ｃの直上点の点を角Ｄとし、角Ｄと傾斜面１２ａとの間に、前面吸込口１１の上縁１２の下向きの傾斜面１２ｃを決める。この傾斜面１２ｃの角Ａと角Ｄを繋ぐ長さはオープンパネル２０の傾斜面２０ｃの角Ｂと角Ｃを繋ぐ長さよりは長くする。
(５)．オープンパネル２０の垂直面２０ａを、前面吸込口１１の上縁１２の傾斜面１２ａと傾斜面１２ｃとの角Ａの垂直線より距離ｔ２（０〜２ｍｍ）だけ奥側となるように決める。
【００１８】
以上により、空気調和機の運転停止時においては、オープンパネル２０に撓みが生ぜず正常な場合は、図６(ａ)に示すように、目線よりも高い位置の壁面に取り付けられた空気調和機を下から見上げたときに、遠近がついて見えることにより、前面吸込口１１の上縁１２の角Ａとオープンパネル２０の垂直面２０ａが垂直に並んでいるように見える。この場合、角Ｃと角Ｄが重なって見えることで合せ目Ｅとなり、合せ目Ｅの上下面に傾斜面１２ｃ，２０ｃを設けたように見え、すっきりした印象を与え、デザイン性を損なうことはない。
【００１９】
一方、オープンパネル２０の中央が前方にｔ１だけ撓んだ場合は、図６(ｂ)に示すように、前面吸込口１１の上縁１２の傾斜面１２ａとオープンパネル２０の傾斜面２０ｃが同一線上に並んだように見えることになる。このため、下から見上げた場合、前面吸込口１１の上縁１２の傾斜面１２ａとオープンパネル２０の傾斜面２０ｃが一直線上に連続して見えることになり、部分がずれているという違和感を与えずに、デザイン性を損なうことはない。
【符号の説明】
【００２０】
１０：前面パネル、１１：前面吸込口、１２：前面吸込口の上縁、１２ａ：傾斜面（第１の傾斜面）、１２ｂ：傾斜面（第５の傾斜面）、１２ｃ：傾斜面（第３の傾斜面）、１３：上面吸込口、１４：風向板、１５：下部吹出口、１６：熱交換器、１７：送風ファン、１８：ケーシング
２０：オープンパネル、２０ａ：垂直面、２０ｂ：傾斜面（第４の傾斜面）、２０ｃ：傾斜面（第２の傾斜面）
Ａ，Ｂ，Ｃ，Ｄ：角、Ｅ：合せ目
【図１】
2011163703.tif 000003
【図２】
2011163703.tif 000004
【図３】
2011163703.tif 000005
【図４】
2011163703.tif 000006
【図５】
2011163703.tif 000007
【図６】
2011163703.tif 000008
【図７】
2011163703.tif 000009